(57)【要約】【課題】  帯の着用を容易にするための帯とその再生方法を提供する。【解決手段】  手先側Aから手先柄領域Ｂ、無地領域Ｃ、胴柄領域Ｄ、及び太鼓柄領域Eの順序に形成されている着物の帯に対して、手先柄領域Ｂに前記胴柄領域Ｄが近接し、次に前記無地領域Ｃ、太鼓柄領域Eとなる順序に加工されていることを特徴とする６通柄の帯。 【選択図】      図１
2005232635.tif 000002
【特許請求の範囲】
【請求項１】
手先側から手先柄領域、無地領域、胴柄領域、及び太鼓柄領域の順序に形成されている着物の帯に対して、前記手先柄領域に前記胴柄領域が近接し、次に前記無地領域、太鼓柄領域となるように加工成形されていることを特徴とする帯。
【請求項２】
手先側から手先柄領域、無地領域、胴柄領域、及び太鼓柄領域の順序に形成されている着物の帯に対して、前記無地領域内を所定の箇所で切断して第１の切断面ｘ１，ｘ２を形成すると共に、前記胴柄領域と太鼓柄領域の境目付近を切断して第２の切断面ｙ１，ｙ２を形成し、前記第１の切断面ｘ１と前記第２の切断面ｙ１を縫合すると共に、前記第１の切断面ｘ２と前記第２の切断面ｙ２を縫合することによって、前記手先柄領域に前記胴柄領域が近接し、次に前記無地領域、前記太鼓柄領域の順序となるように帯を加工することを特徴とする帯の再生方法。
【請求項３】
上記胴柄領域と上記太鼓柄領域の境目付近の帯の裏面に複数個の面ファスナーを取り付け、この複数個の面ファスナーによって、太鼓部の帯部に対して直交する方向に胴回し帯部を形成するようにしたことを特徴とする請求項１に記載の帯。
【請求項４】
上記第１の切断面ｘ１，ｘ２と第２の切断面ｙ１，ｙ２は上記帯の表柄面においてのみ施されていることを特徴とする請求項２に記載の帯の再生方法。
【請求項５】
手先側から手先柄領域、胴柄領域、及び太鼓柄領域の順序に形成されている６通柄帯において、前記太鼓柄領域の垂れ先側から所定の寸法で切断して切り離し、切り離された小帯を飾り帯として太鼓部を２重太鼓に形成するときの小帯として使用することができるように加工することを特徴とする請求項２に記載の帯の再生方法。
【請求項６】
上記６通柄帯が全通柄帯とされていることを特徴とする請求項５に記載の帯の再生方法。
【発明の詳細な説明】
【技術分野】
【０００１】
本発明は、和服を着用する際に使用する帯と、従来の帯を加工して利用し易い帯に加工する再生方法に関するものである。
【背景技術】
【０００２】
和服と共に使用されている帯は、和服を着用する機会が少なくなると共に、その使用頻度が減少している。
しかし、例えば、成人式や結婚式等ではまだ多くの人に着物を着る機会があり、そのために和服を購入して帯と共に所持している人も多いが、日本の伝統的な帯は着物の着付けに見られるように簡単に一人で結ぶことが難しい。
そのため、大部分の人は着物と共に帯もタンス等の奥にしまいこみ、日常的には使用しなくなっている。
【特許文献１】実公平４−４１７３号公報
【０００３】
図７は一般的によく使用されている袋帯の表面（ａ）、及び裏面（ｂ）を示したものである。
このような帯は一般に６通柄の帯といわれており、表面の６割には帯の柄が、裏面は無地となるように構成されている。
帯柄は表面の左側端部を手先Aとして手先柄領域Ｂ、無地領域Ｃ、帯の胴回し部分となる胴柄領域Ｄ、帯の太鼓部を形成する太鼓柄領域Eとなるように構成され、右側端部をたれ先Ｆと呼ぶことにする。そして、裏面は一般的に全部無地、又は無地に近い柄となるように成形されている。
【発明の開示】
【発明が解決しようとする課題】
【０００４】
このような帯は、通常、着物の上から着用する場合に、手先A側から胴に二周りするように巻き付けることによって無地領域Ｃが胴柄領域Ｄによって覆われ、残りの帯部分、すなわち太鼓柄領域Eは背後でほぼ直角に折り曲げるように折り込んで太鼓部を形成するが、この場合、背後で太鼓部を形成する着付け作業は極めて困難になるという問題がある。
そこで、種種の小道具を利用して帯の結び方が容易になるように工夫したものが知られている。
【０００５】
図８（ａ）は、先に本出願人が提案した平面型のファスナー（以下、面ファスナーという）を利用して帯結びが容易になるようにした概要図（例えば、実公平４−４１７３号公報）を示すもので、予め帯の裏面に複数個の面ファスナー片ａ、ｂ、ｃ、ｄ等が取り付けられている。
そして、この面ファスナー片ａ、ｂ部分を同図（ｂ）に示すように重ねることによって、胴回り部２０となる領域を二つ折りに折り畳み、さらに同図（ｃ）に示すように重畳された面ファスナーａ、ｂの部分を面ファスナーｃの上に圧着結合して２等辺三角形を作り、胴回り部２０を立ち上げることによって太鼓を形成する部分となる太鼓部１０と直交する方向に胴回り部２０を作り、この太鼓部１０の部分を通常は１重又は２重に折り込んで飾り太鼓を形成する。そして、形成されたこの太鼓を補助具等でその形が崩れないように仮止めし、次に、この太鼓を適当な紐によって背中に仮止めして、胴回り部２０を背中から前に向かって二周り巻き付けて仮止めしておく。
そして、背後に手を回して手先と手先柄領域を太鼓の中に装着して帯び〆で固定し、着物を着用している。
【０００６】
このようにすると、胴回りに帯を巻き付ける前に太鼓部１０を所望の形に折り曲げて太鼓を形成できるので帯結びが楽になるが、胴回り部２０を背中から前に向かって帯を２重に巻き付けると、最後に図７の無地領域Ｃが上側に露出するようになり、胴柄領域Ｄが下側に隠されて見た目が悪くなるという問題がある。
そのため、すでに購入している従来の帯をこのような方法で結びことが好ましくないので、自然に和服を着用しなくなったり、このような帯は箪笥にしまったままにしたり、または、処分して新しく帯を作ったりしていた。
【課題を解決するための手段】
【０００７】
本発明はかかる問題点を解消するためになされたもので、第１の発明は手先側から手先柄領域、無地領域、胴柄領域、及び太鼓柄領域の順序に形成されている着物の帯に対して、手先柄領域に前記胴柄領域が近接し、次に前記無地領域、太鼓柄領域となる順序に加工されていることを特徴とする６通柄の帯を提供するものである。
また、第２の発明は上記したような帯を従来の６通し柄の帯から加工して、本発明が解決しようとする課題である、帯の着用の難しさを解消するような帯の再生方法に関する。
【０００８】
本発明の帯は上記胴柄領域と太鼓柄領域の境目には複数個の面ファスナーを取り付け、この複数個の面ファスナーによって、太鼓部の帯部に対して直交する方向に胴回し帯部を形成するようにしているので、目前で太鼓部を所望の形に整形した後に背後に回し、胴柄領域Ｄに形成されているポイント模様等が丁度前に来るように適宜調整して帯を結ぶことが簡単にできる。
【０００９】
また、第３の発明では、手先側から手先柄領域、無地領域、胴柄領域、及び太鼓柄領域の順序に形成されている着物の帯を一回、または二回巻で胴柄がでるように着付けるようにし、例えば前記太鼓柄領域の適当な箇所を切断して切り離し、切り離された小帯を利用して太鼓部を作る際の２重太鼓や、変わり結び帯（角出し結び、扇結び、蝶結びなど）に使用することができるように加工再生するものである。
【発明の効果】
【００１０】
本発明は、予め太鼓部と胴回し部を面ファスナー等によって形成した後に、太鼓部となる部分を目前で成形し、この太鼓部を補助具等を利用して背中に背負い、その後に胴回し部を胴に対して２回巻き付けるような帯の着付けに対しても、帯柄が所定の位置に現れるようにすることができるので、従来の帯の結び方に比較して簡単に扱うことができるという効果がある。
また、本発明の帯は従来から各人が所有している多くの古い帯で、帯結びがうまくできない帯を簡単に加工再生して太鼓部を豪華に見せることができるので、古い帯を処分することなく活用し資源のリサイクルを促進するという効果がある。
【発明を実施するための最良の形態】
【００１１】
以下、本発明の新規な帯とその帯に加工する形態を、図面に示す実施例に沿って説明する。
図１は本発明を６通柄の帯（６通柄帯）に適応するときの平面図を示したものである。
この図に示されている帯は先に示したように、いわゆる６通柄の袋帯であって、左端部から手先A、手先柄領域Ｂ、無地領域Ｃ、胴柄領域Ｄ、太鼓柄領域E、そして右端部がたれ先Ｆとなっている。
なお、Ｋの部分は帯の前側に位置するように付けられた胴柄模様のポイント位置であり、Ｑは太鼓部の上側中心に位置するように付けられた太鼓模様のポイント位置を示すが、このような模様は必ずしも付けられているとは限らない。
また、胴柄と太鼓柄は普通は同一の模様によって構成される場合も多い。
【００１２】
以下、本発明の改良された６通柄帯と、このような帯を従来の６通柄帯から加工して再生する方法を説明する。
まず、図１（ａ）に示すように、従来の６通し柄の帯の表面のＸ点、及びＹ点を鋏み等によって切断する。この場合は通常無地となっている裏面は残して柄模様が形成されている表側のみを上記Ｘ点、Ｙ点で切り離す方が帯の強度を保つ上で好ましい。
次に、Ｘ点、Ｙ点で切り離された中間部分を同図（ｂ）に示すように左右逆転して配置し、Ｘ点側の切断端ｘ１とＹ点側の切断端ｙ１を縫合すると共に、Ｙ点側では切り離された中間部分の切断端ｘ２と、帯側の切断端ｙ２の部分を縫合して、同図（ｃ）に示すように無地領域Ｃが中央部分に移動した帯を再生する。
【００１３】
この場合は切断点Ｘ、及びＹ点は後で説明するように帯を着用したときに、ほぼ背柱の位置となるように配置することが好ましい。
そのため、一般的には手先Aから切断面となるＸ点までは、ほぼ６５Ｃｍであり、切断面となるＹ点はたれ先Ｆの端部からほぼ１６０Ｃｍとなる。
しかし、この切断面となるＸ点、Ｙ点の位置は帯の太鼓柄模様のポイント位置Ｑ、着用者の体型（胴回り）などによって一義的に決めることはできないので、おおまかにはこの切断点が帯を着用したときに、ほぼ背柱の位置になるように定まればよい。
【００１４】
帯の無地側となる裏面には同図（ｄ）に示すように、５カ所に面ファスナーａ、ｂ、ｃ、ｄ、及びeを縫いつけておく。
この面ファスナーは先の図８で説明したように、面ファスナーａ、ｂの部分をマイナス側面ファスナーとすると、面ファスナーｃはプラス側の面ファスナーとしている。そして、面ファスナーａとｂを互いに重ね合わせることによって、帯を二つ折りして胴回りとなる部分（胴回り部２０）を作ると共に、この重合した面ファスナーａ、ｂを三角形の頂点として、さらに、面ファスナーｃに結合圧着し、太鼓部（たれ先部）１０に対して直交するように胴回り部２０を折り曲げることができるようにしている。
【００１５】
なお、面ファスナーｄは図２に概略が示されているように直交する方向に形成された胴回り部２０の折り返し位置を調整するための調整ベルト３０を面ファスナーにより取り付けるために設けたものである。
この調整ベルト３０は上記面ファスナーｄと結合するように、調整ベルト３０の下面に面ファスナー３３が取り付けられ、両端には帯揚げ等を挿入する紐通し３１ａ，３１ｂが設けられると共に、下方に向かってクリップ３２ａ、３２ｂが垂れ下がるように構成されている。
【００１６】
帯を着用する際には、この調整ベルト３０の下面に設けた面ファスナー３３と帯の面ファスナーｄを結合し、図のように予め折り畳んでいた胴回り部２０を矢印方向に胴に巻き付けるときに、最初の折り返し点を逆方向に折り曲げてクリップ３２ｂの尖端に鋏んで、その折り返し点をベルトのＬ、Ｍ、Ｓのいずれかの位置に合わせると、最初の一回りで無地領域Ｃの部分が巻かれ、次の二周り目で胴柄領域Ｄが現れるようにすると、無地領域Ｃが表面に出ない。
また、帯の胴柄領域Ｄにポイント模様Ｋがある場合に、このポイント模様Ｋが丁度目前になるように胴回り部２０の長さを調整することができる。
また、体型の違いにっよって生じる胴回り部２０の全体的な長さを調整し、２回回したときの手先が丁度太鼓部１０にフィットするように設定することができる。
さらにこの調整ベルト３０の上面にもオープン面ファスナー（蓋付き面ファスナー）を形成しておくことによって、帯の太鼓部領域に形成しておいた面ファスナーeを太鼓を形作る際にこの調整ベルトの上面のファスナー３３に圧着して、折り畳んだ太鼓部の形を保持しておくことができる。
したがって、帯を着用する前に、まず、太鼓部１０と胴回り部２０を前記したファスナーａ、ｂ、ｃにより形成し、調整ベルト３０を付けることによって胴回り部２０の長さを調整した後に、さらに、太鼓を折り込んで種種の形にして、その形を図示しないクリップ等で保ったまま、帯を背中に背負い、帯結びを完了することができるので、帯を着用することが簡単にできる。
【００１７】
以上の実施例に示した６通柄帯は、従来の６通柄帯の表面を切断加工することによって構成したが、図１（ｃ）のような柄模様となるように最初から新規な織り方を採用して、本発明が採用しているような着付け方法で着用できる帯を新規に織り上げることもできる。
【実施例】
【００１８】
図３は本発明の他の実施例を示した６通柄帯の加工方法を示したもので、（ａ）は表面、（ｂ）は裏面（無地）を示し、表面で前記図１と同一符号は同一部分を示す。
この実施の形態の場合は、同図（ｃ）（ｄ）に示すように太鼓柄領域Eに切断点Ｚをいれて垂れ先Ｆの部分と共に切り離し、小帯４０Aを作ると共に、残りの本帯５０Aを２回胴回り帯とすると共に、本帯５０Aと小帯４０Aとを使用して次の図４に示すように２重太鼓結びとして使用する。
【００１９】
図４はこのように本帯５０Aと小帯４０Aを使用して２重太鼓を形成する場合の説明図で、同図（ａ）のように先に説明したように本帯５０Aを折畳んで胴回り部と、太鼓部を形成し、調整ベルト３０を太鼓部部となる帯の面ファスナーｄにより固着する。そして、同図（ｂ）に示すように調整ベルト３０の表面に設けたオープン面ファスナー３３に切り離された小帯４０Aの垂れ先が下側になるように小帯４０Aの面ファスナーeを圧着して重ねると共に、同図（ｃ）に示すように本帯５０Aの新しく垂れ先となる部分ｚ１を下側に折り曲げて小帯４０Aを包み込み、この状態でイの部分をロの部分に重なるように上部を二つ折りして同図（ｄ）に示すように２重以上の厚みを有する太鼓部を作るようにしている。
【００２０】
図３の実施例では小帯４０の部分を垂れ先Ｆ側の帯で作るようにしたが、以下の実施例では小帯４０を手先A側で作る場合を説明する。
図５は本発明のさらに他の実施の形態を示している。この場合は、通常の帯の無地領域Ｃに図５（ａ）に示すように２カ所に切断点Ｚ１，Ｚ２を鋏み等で入れて、同図（ｂ）の裏面に示されているように無地領域Ｃ’を切り離し、この部分を小帯４０Ｂとすると共に、切り離された手先柄領域Ｂの部分を胴柄領域Ｄの部分に寄せて、Ｚ３点で縫合し本帯５０Ｂとして使用する。
そして、小帯４０Ｂの部分で２重、３重太鼓を作ったり、飾り結び太鼓を形成すると共に、本帯５０Ｂは胴回し１回の帯として着用するものである。
【００２１】
図６（ａ）（ｂ）は小帯を作る切断点を一カ所だけとした帯の表面と裏面の形態を示す。
この実施例の場合は帯を一カ所でのみ切断し、その切断面Ｚが手先側からほぼ（７６Ｃｍ、約２尺）のZ点に形成される。
そして、この切断面ｚで切り離された部分は小帯４０Ｃとして使用し、残りの帯を胴回り１回巻の６通柄帯の本帯５０Ｃとして使用する。
【００２２】
図５，図６のいずれも小帯の裏側には図示されていないが面ファスナーｆが縫いつけることができ、本帯５０の裏面には先に述べたような複数個の面ファスナーａ、ｂ、ｃ、ｄ、eが縫い込まれている。
この場合少し短くなった本帯５０は先に述べたように面ファスナーａ、ｂ、ｃを利用して胴回り部２０と太鼓部１０を作り、着用時に胴回り部２０は１回巻とすることによって胴柄が表面に出るようにすると共に、新しく作られた本帯５０の手先側の部分は最終的に太鼓の中に納めるように着用する。
また、小帯４０の裏側に面ファスナーｆを取り付けたときは、先に説明したようにこの面ファスナーｆを太鼓部に取り付けた調整ベルト３０の表面に設けているオープン面ファスナー３３に結合し、太鼓部１０を形成する帯の上に重ねて取付け、そのまま太鼓部１０と共に折り込んだりすることによって、本出願人が先に提案した飾り羽根用の帯として着用することもできる。
【００２３】
上記各実施例では小帯４０を切り出すときに６通柄帯の垂れ先、または手先側を切り離すようにしたが、全柄の通し帯でもこのように切り離して小帯４０を形成し、帯の飾り部分となる太鼓部１０と共に使用する帯としたり、２重太鼓や、変わり結び太鼓となるように工夫することによって、いろいろな帯結びが自分自身で簡単に見栄えがよく作ることができる。
【図面の簡単な説明】
【００２４】
【図１】本発明の帯とその再生加工方法を説明するための平明図である。
【図２】帯を着用するために有用な面ファスナーと、調整ベルトの利用方法を示す説明図である。
【図３】本発明の他の再生加工方法を説明する帯の表面と裏面の平面図である。
【図４】本発明で作られた小帯を２重太鼓に利用するときの方法を説明するための説明図である。
【図５】小帯を切り出すときの一例を示す説明図である。
【図６】小帯を切り出すときの他の方法を説明する説明図である。
【図７】従来の６通し柄の帯の説明図である。
【図８】帯に設けた面ファスナーの利用方法を説明する展開図である。
【符号の説明】
【００２５】
１０  太鼓部  ２０  胴回り部  ３０  調整ベルト  ４０  小帯  ５０  本帯  A  手先部  Ｂ  手先柄領域  Ｃ  無地領域  Ｄ  胴柄領域  E  太鼓領域  
Ｆ  たれ先部
【図１】
2005232635.tif 000003
【図２】
2005232635.tif 000004
【図３】
2005232635.tif 000005
【図４】
2005232635.tif 000006
【図５】
2005232635.tif 000007
【図６】
2005232635.tif 000008
【図７】
2005232635.tif 000009
【図８】
2005232635.tif 000010